(57)【要約】  【課題】吐出口へのインクの供給性を向上させ、高速で連続的にドットを描画しても、安定して所望のサイズのドットを描画することができるインクジェットヘッドおよびインクジェット記録装置を提供する。  【解決手段】インクが吐出される吐出口が開口された吐出口基板と、吐出口基板から離して配置され、吐出口基板との間に実質的に略平面状のインク流路を形成するヘッド基板とを備え、吐出口の開口付近におけるインク流路を、ヘッド基板から吐出口のインク吐出方向へ凸状に形成したことにより、上記課題を解決する。【選択図】図１
2006264016.tif 000002
【特許請求の範囲】
【請求項１】
インクが吐出される吐出口が開口された吐出口基板と、前記吐出口基板から離して配置され、前記吐出口基板との間に実質的に略平面状のインク流路を形成するヘッド基板とを備えたインクジェットヘッドであって、
前記吐出口の開口付近における前記インク流路を、前記ヘッド基板から前記吐出口のインク吐出方向へ凸状に形成したことを特徴とするインクジェットヘッド。
【請求項２】
前記吐出口の開口付近における前記インク流路を、前記吐出口の開口中心からインク流路上流側に変位した所定位置に凸状中心を有する凸状に形成したことを特徴とする請求項１に記載のインクジェットヘッド。
【請求項３】
前記吐出口の開口付近における前記インク流路の少なくとも一部を、前記吐出口のインク流路上流側から前記吐出口へ向かって縮径する形状に形成したことを特徴とする請求項１または２に記載のインクジェットヘッド。
【請求項４】
前記ヘッド基板が、前記吐出口の開口と対向する位置に、インク誘導堰を有することを特徴とする請求項１〜３のいずれかに記載のインクジェットヘッド。
【請求項５】
前記吐出口基板が、前記インク流路側の面に、インク流路上流側から前記吐出口へ通じるインク誘導溝を有することを特徴とする請求項１〜４のいずれかに記載のインクジェットヘッド。
【請求項６】
前記吐出口の略中央を貫通し、その先端を前記インクの吐出方向に向けて、前記ヘッド基板上に配置されたインクガイドを備え、
前記インク誘導堰は、前記インクガイドに接して設けられていることを特徴とする請求項４または５に記載のインクジェットヘッド。
【請求項７】
前記吐出口は、前記インク流路におけるインク流方向の径が前記インク流方向に直交する方向の径よりも大きい開口形状を有することを特徴とする請求項１〜６のいずれかに記載のインクジェットヘッド。
【請求項８】
前記吐出口基板は、絶縁性基板を有し、
前記絶縁性基板の前記インク流路側および前記記録媒体側の少なくとも一方の面には、前記吐出口の周囲を囲むように、少なくとも１層の吐出電極が設けられ、
前記吐出電極に電圧を印加することにより、前記インクの吐出を制御することを特徴とする請求項１〜７のいずれかに記載のインクジェットヘッド。
【請求項９】
前記吐出電極は、前記インク流の上流側の一部を除いて前記吐出口の周囲を囲むように設けられ、
前記インク誘導溝は、前記吐出電極が設けられない前記インク流の上流側の一部に、前記吐出電極の位置を通過して、前記インク流路側の面から前記吐出電極よりも離れた層まで達する深さに形成されていることを特徴とする請求項８に記載のインクジェットヘッド。
【請求項１０】
請求項１〜９のいずれかに記載のインクジェットヘッドを用いて、前記インクを記録媒体に向けて吐出し、画像データに応じた画像を前記記録媒体上に記録することを特徴とするインクジェット記録装置。
【発明の詳細な説明】
【技術分野】
【０００１】
本発明は、記録媒体に向けてインクを吐出するインクジェットヘッド、および、このインクジェットヘッドを用いて画像データに対応した画像を記録媒体上に記録するインクジェット記録装置に関する。
【背景技術】
【０００２】
カラー画像等を出力する画像記録装置において、インクジェットヘッドからインクを吐出して、吐出したインクを記録媒体に付着させることにより画像を記録するインクジェット方式は、構造が簡単で装置の小型化が容易であることから広く利用されている。インクジェット方式による画像記録装置（インクジェットプリンタ）としては、静電式、サーマル式、ピエゾ式等が知られている。
【０００３】
このうち、静電式のインクジェット記録方式では、帯電した微粒子を含むインクを用い、画像データに応じて、インクジェットヘッドの吐出電極（駆動電極）に所定の電圧（駆動電圧）を印加することにより、静電力を利用してインクの吐出を制御し、画像データに対応した画像を記録媒体上に記録する。静電式のインクジェット記録装置は、ヘッド構造が簡易でマルチチャンネル化しやすく、微小な液滴の形成が可能であり、高解像力での描画が可能であるという特徴を有する。
【０００４】
静電式のインクジェット記録装置として、例えば、特許文献１には、絶縁性基板にインクを吐出させる貫通孔（吐出口）が形成され、この貫通孔内にインクガイドが設置されるとともに、貫通孔周辺に制御電極が設置され、制御電極に電圧を印加することによる静電力によってインク液滴を吐出させるインクジェット記録装置が開示されている。
【特許文献１】特開平１０−１３８４９３号公報
【発明の開示】
【発明が解決しようとする課題】
【０００５】
ところで、各種方式のインクジェットヘッドにおいて、高解像度の記録を高速で行うために、ヘッドのマルチチャンネル化、すなわち、１つのヘッドに多数の吐出口（貫通孔）を配列することが行われている。しかし、上記のような静電式インクジェットヘッドにおいて、複数の吐出口をマトリクス状に配置してマルチチャンネルヘッドを構成した場合、吐出部（吐出口およびその吐出口からのインク吐出に作用する部分）の配置密度を高くするほど、吐出口が形成される絶縁性基板における、制御電極への信号配線の接続が困難になる。
チャンネル数（吐出部数）を多くして高密度化するためには、絶縁性基板を多層配線構造化して、吐出電極への信号配線を接続することが考えられる。このため、チャンネル数の増加に伴って、絶縁性基板の厚さは次第に厚くなる傾向にある。
【０００６】
しかし、吐出口（貫通孔）が形成される絶縁性基板が厚くなると、吐出口のインク吐出方向の長さが長くなるため、吐出口内へのインクの供給性が劣化し、高速で描画すると徐々にドット径が小さくなってしまうという問題が生じる。
また、静電式に限らず、他の方式のインクジェットヘッドにおいても、吐出口（ノズル）の長さが長くなった場合には、上記と同様の問題が発生する。
【０００７】
本発明の目的は、上記従来技術の問題点を解消し、吐出口へのインクの供給性を向上させ、高速で連続的にドットを描画しても、安定して所望のサイズのドットを描画することができるインクジェットヘッドおよびインクジェット記録装置を提供することにある。
本発明の目的は、特に、インクを吐出方向と異なる方向へ流しながら吐出方向に向いた吐出口へインクを供給するインクジェットヘッドにおいて、吐出口へ十分にかつ安定してインクを供給することができるインクジェットヘッド、および、そのインクジェットヘッドにより高速かつ安定した描画を行うことのできるインクジェット記録装置を提供することにある。
【課題を解決するための手段】
【０００８】
上記課題を解決するために、本発明は、インクが吐出される吐出口が開口された吐出口基板と、前記吐出口基板から離して配置され、前記吐出口基板との間に実質的に略平面状のインク流路を形成するヘッド基板とを備えたインクジェットヘッドであって、
前記吐出口の開口付近における前記インク流路を、前記ヘッド基板から前記吐出口のインク吐出方向へ凸状に形成したことを特徴とするインクジェットヘッドを提供する。
【０００９】
ここで、前記吐出口の開口付近における前記インク流路を、前記吐出口の開口中心からインク流路上流側に変位した所定位置に凸状中心を有する凸状に形成するのが好ましい。
また、前記吐出口の開口付近における前記インク流路の少なくとも一部を、前記吐出口のインク流路上流側から前記吐出口へ向かって縮径する形状に形成するのが好ましい。
【００１０】
また、前記ヘッド基板が、前記吐出口の開口と対向する位置に、インク誘導堰を有するのが好ましく、
前記吐出口基板が、前記インク流路側の面に、インク流路上流側から前記吐出口へ通じるインク誘導溝を有するのが好ましい。
【００１１】
また、前記吐出口の略中央を貫通し、その先端を前記インクの吐出方向に向けて、前記ヘッド基板上に配置されたインクガイドを備え、
前記インク誘導堰は、前記インクガイドに接して設けられているのが好ましく、
前記吐出口は、前記インク流路におけるインク流方向の径が前記インク流れ方向に直交する方向の径よりも大きい開口形状を有するのが好ましい。
【００１２】
また、前記吐出口基板は、絶縁性基板を有し、
前記絶縁性基板の前記インク流路側および前記記録媒体側の少なくとも一方の面には、前記吐出口の周囲を囲むように、少なくとも１層の吐出電極が設けられ、
前記吐出電極に電圧を印加することにより、前記インクの吐出を制御するのが好ましい。
【００１３】
また、前記吐出電極は、前記インク流の上流側の一部を除いて前記吐出口の周囲を囲むように設けられ、
前記インク誘導溝は、前記吐出電極が設けられない前記インク流の上流側の一部に、前記吐出電極の位置を通過して、前記インク流路側の面から前記吐出電極よりも離れた層まで達する深さに形成されているのが好ましい。
【００１４】
また、上記課題を解決するために、本発明は、上記いずれかのインクジェットヘッドを用いて、前記インクを記録媒体に向けて吐出し、画像データに応じた画像を前記記録媒体上に記録することを特徴とするインクジェット記録装置を提供する。
【００１５】
なお、上記において、実質的に略平面状のインク流路とは、所定間隔を置いてほぼ面平行に配置された、それぞれが略平板状の前記吐出口基板および前記ヘッド基板によって構成される、実質的に平行平板間流路に相当するインク流路を意味する。すなわち、前記吐出口基板に設けられた前記吐出口の内部は、ここでいうインク流路には含まれない。
【発明の効果】
【００１６】
本発明のインクジェットヘッドによれば、インク吐出口の開口付近におけるインク流路を、その吐出口からのインク吐出方向に凸状に形成したことにより、インクを吐出口へ誘導することができ、吐出口へ十分にインクを供給することができる。さらに、吐出部へ有効にインクを供給できることにより、吐出口への粒子供給性を向上させられるので、吐出口の開口部での目詰まりを良化することができる。
また、本発明のインクジェット記録装置によれば、本発明のインクジェットヘッドを用いて構成したことにより、吐出部へ有効にインクを供給することができるので、高速で安定した描画を行うことができる。
【発明を実施するための最良の形態】
【００１７】
本発明に係るインクジェットヘッドおよびインクジェット記録装置を添付の図面に示す好適実施例に基づいて以下に詳細に説明する。
【００１８】
なお、以下では、静電式インクジェットヘッドおよび記録装置を例に説明するが、本発明はこれに限定されるものではなく、サーマル式やピエゾ式等、各種のインクジェット方式によって画像記録を行うインクジェットヘッドおよび記録装置に利用可能である。
また、以下では、静電式インクジェット記録装置において、インク中の色材粒子が正帯電している場合を例にとって説明するが、本発明はこれに限定されず、これとは逆に、インク中の色材粒子を負に帯電させたものを用いてもよい。その場合は、記録に作用する各部の極性を、以下の例とは逆極性とすればよい。
【００１９】
図１（Ａ）に、本発明に係るインクジェットヘッドの一実施形態の概略構成断面を模式的に示し、図１（Ｂ）に、図１（Ａ）のＩＢ−ＩＢ線矢視図を示す。図１（Ａ）に示すように、インクジェットヘッド１０は、ヘッド基板１２と、インクガイド１４と、吐出口２８が開口された吐出口基板１６とを有する。吐出口基板１６には、吐出口２８を囲むように吐出電極１８が配置されている。インクジェットヘッド１０のインク吐出側の面（図中、上面）に対面する位置に、記録媒体Ｐを支持する対向電極２４と、記録媒体Ｐの帯電ユニット２６が配置される。
【００２０】
ヘッド基板１２と吐出口基板１６は、互いに対面した状態で所定間隔離して配置される。ヘッド基板１２と吐出口基板１６の間に形成される空間によって各吐出口２８にインクを供給するインク流路３０が形成される。インク流路３０中のインクＱは、後述するインク循環装置によって、ヘッド基板１２および吐出口基板１６の流路面と平行な方向にはほぼ一定方向（図中矢印方向）に、所定の流速のインク流を形成している。
なお、以下の説明において、インク流路３０は、略平板状のヘッド基板１２および吐出口基板１６によって構成される、実質的に平行平板間流路に相当するインク流路領域を呼ぶものとし、吐出口基板１６に形成された吐出口２８の内部領域は、ここでいうインク流路３０には含まれないものとする。
【００２１】
ヘッド基板１２のインク流路３０を形成する面、すなわち図１（Ａ）における上側の面には、吐出口２８のインク流路３０側開口付近、すなわち、吐出口２８に対応する領域付近に、インク誘導堰４０が形成されており、これにより、インク流路３０が、吐出口２８の位置において吐出口２８側へ凸状に盛り上がる形状とされている。
このように形成されるインク流路３０は、本発明の特徴的部分であって、インク流路３０におけるインク流の主流が、吐出口２８のインク流路３０側開口において、インク吐出方向に盛り上がるようなインク流を形成するものである。
本実施形態では、このようにインク誘導堰４０を設けることによって、吐出口２８の開口部におけるインク流路３０を、ヘッド基板１２からインク吐出方向（図１（Ａ）の例では上方向）へ凸状に形成している。このようにインク流路３０を吐出口２８の開口部で凸状に形成することにより、吐出口２８の開口部においてヘッド基板１２からインク吐出方向へ安定してインクＱが供給され、吐出口２８へ安定してインクＱを供給することができる。
インク流路３０の構成および作用については後に詳述する。
【００２２】
インクジェットヘッド１０は、より高密度な画像記録を高速に行うために、複数の吐出口（ノズル）２８が二次元的に配列されたマルチチャンネル構造を有する。図２に、インクジェットヘッド１０の吐出口基板１６に複数の吐出口２８が二次元的に配列されている様子を模式的に示す。図２は、図１（Ａ）の吐出口基板１６を、ヘッド基板１２側の面（図中、下側の面）から見た図に相当する。図１（Ａ）および図１（Ｂ）は、インクジェットヘッドの構成を分かりやすく示すために、インクジェットヘッド１０の複数の吐出口のうちの、１つの吐出口だけを示している。
【００２３】
本発明においては、インクジェットヘッド１０の吐出口２８の個数や、その物理的な配置位置等は自由に選択することができる。例えば、図２に示すようなマルチチャンネル構造のみならず、吐出口の列を１列のみ有するものであってもよい。また、記録媒体Ｐの全域に対応する吐出口の列を有するいわゆる（フル）ラインヘッドでもよく、あるいは、ノズル列の方向と直交する方向に走査されるいわゆるシリアルヘッド（シャトルタイプ）であってもよい。また、インクジェットヘッド１０は、モノクロおよびカラーのどちらの記録装置にも対応可能である。
【００２４】
なお、図２は、マルチチャンネル構造の一部分（３行３列）の吐出口の配列を示しており、好ましい態様として、インク流方向において、下流側の列の吐出口２８が上流側の列の吐出口に対してインク流に垂直な方向に所定ピッチだけ隔てて配置されている。このように、下流側の列の吐出口を上流側の列の吐出口に対してインク流方向に垂直な方向にずらして配置することにより、吐出口にインクを良好に供給することができる。本発明のインクジェットヘッドにおいては、下流側の列の吐出口が上流側の列の吐出口に対してインク流方向に垂直な方向にずらされて配置されたｎ行ｍ列（ｎ、ｍは正の整数）の吐出口が、インク流方向に一定の周期で繰り返し続くように構成されていてもよいし、それぞれの吐出口が、上流側に位置する吐出口に対してインク流に垂直な一方向（図２において下方向または上方向）に連続的にずれて配置されていてもよい。吐出口の個数やピッチ、繰り返し周期等は、解像度や送りピッチに応じて適宜設定することができる。
【００２５】
また、図２では、好ましい態様として、インク流方向において、下流側の列の吐出口を上流側の列の吐出口に対してインク流に垂直な方向にずらして配置したが、これに限定されず、下流側の吐出口と上流側の吐出口が、インク流方向において同一直線上に配置されていてもよい。この場合は、各行のそれぞれの吐出口を、インク流に垂直な方向において隣に位置する行のそれぞれの吐出口に対して、インク流方向にずらして配置させることが、インク供給性の点で好ましい。
なお、吐出口の配置パターンは、各吐出部（吐出口およびその吐出口からのインク吐出に作用する部分）の駆動方式や、インクジェットヘッド１０および記録媒体Ｐの走査方式等によっても、適宜設定することができる。
【００２６】
このようなインクジェットヘッド１０においては、顔料等の色材を含み、かつ、電荷を有する微粒子（以下、色材粒子とする）を絶縁性の液体（キャリア液）に分散してなるインクＱを用いる。そして、吐出口基板１６に設けられた吐出電極１８に駆動電圧を印加して吐出口２８に電界を発生させ、吐出口２８のインクを静電力により吐出させる。また、吐出電極１８に印加する駆動電圧を、画像データに応じてｏｎ／ｏｆｆ（吐出ｏｎ／ｏｆｆ）することにより、画像データに応じて吐出口２８からインク液滴を吐出して、記録媒体Ｐ上に画像を記録する。
【００２７】
本発明のインクジェット記録装置に用いられる本発明のインクジェットヘッド１０の構造について、図１（Ａ）および（Ｂ）を参照してさらに詳細に説明する。
【００２８】
図１（Ａ）に示すように、インクジェットヘッド１０の吐出口基板１６は、複数の吐出口２８が形成された略平板状の基板であって、絶縁基板（絶縁性基板）３２と、ガード電極２０と、絶縁層３４とを有している。絶縁基板３２の図中上側の面（ヘッド基板１２に対面する側と反対の面）に、ガード電極２０と絶縁層３４とが順に積層されている。また、絶縁基板３２の図中下側の面（ヘッド基板１２に対面する側の面）には、吐出電極１８が形成されている。
【００２９】
なお、図示例では、吐出口基板１６が１層の絶縁基板３２を有し、１層の吐出電極１８が設けられている形態としているが、本発明はこれに限定されず、吐出口基板１６は、多層配線構造のために、あるいはその他の設計上の都合等により、多層の絶縁基板を有していてもよいし、吐出口基板１６の表面または内部（多層の絶縁基板の層間）に多層の吐出電極を有していてもよい。絶縁基板や吐出電極を多層化した場合、吐出口基板１６の厚さが増加する。また、絶縁基板３２や絶縁層３４の厚さを厚くした場合にも、吐出口基板１６の厚さは増加する。本発明のインクジェットヘッド１０によれば、このように吐出口基板１６の厚さが増加した場合にも、後述する本発明の特徴部分である吐出口２８の付近において凸状に形成されたインク流路３０の効果が発揮され、高いインク供給性を得ることができる。
【００３０】
吐出口基板１６には、インク液滴Ｒを吐出するための吐出口２８が吐出口基板１６を貫通して形成されている。吐出口２８は、図１（Ｂ）に示すように、長方形の両方の短辺側を半円形にした、インク流方向に細長い繭形の開口（スリット）であり、インク流方向の長さＬとインク流れに直交する方向の長さＤとのアスペクト比（Ｌ／Ｄ）が１以上となる非円形形状を有する。
【００３１】
本発明では、好ましい態様として、吐出口２８をインク流方向の長さＬとインク流れに直交する方向の長さＤとのアスペクト比（Ｌ／Ｄ）が１より大となる開口（インク流方向を長辺とする形状異方性を有する形状、インク流方向を長辺とする長穴形状）を有するインクジェットヘッドを用いることができるので、吐出口２８にインクが供給されやすくなる。つまり吐出口２８へのインクの粒子供給性を高めることができ、周波数応答性を向上させ、さらに目詰まりも防止することができる。この点については、インク液滴の吐出の作用とともに、後ほど詳細に説明する。
【００３２】
本実施形態では、吐出口２８を細長い繭形の開口として形成したが、これに限らず、開口の長さ方向（長手方向）の最大長さ（長径という）と、それに直交する方向の最小長さ（短径という）とのアスペクト比が１となる形状、好ましくは１より大となる各種の形状を採用することができる。例えば、曲線からなる形状、直線からなる形状、または曲線と直線の組み合わせからなる形状などが任意に採用可能である。アスペクト比が１となる形状の具体例としては、円形、正方形、偶数角の正多角形などが挙げられる。また、アスペクト比が１より大となる形状の具体例としては、楕円形、長方形、ひし形、平行四辺形などが挙げられる。例えば、インク流方向を長辺とする矩形状、または、インク流方向を長軸とする楕円形もしくはひし形にすることができる。また、インク流の上流側を上底、下流側を下底とし、インク流方向の高さが下底よりも長い台形状にしてもよい。この場合、上流側の辺を長くしても下流側の辺を長くしてもよい。また、インク流方向を長辺とする長方形の両方の短辺側に、直径がその長方形の短辺よりも大きな円が接続されたような形状にしてもよい。また、吐出口２８は、その中心に対して、上流側と下流側で対称な形状であっても非対称な形状であっても良い。例えば、矩形状の吐出口の上流側と下流側の少なくとも一方の端部を半円状にして吐出口を形成してもよい。
【００３３】
インクジェットヘッド１０のインクガイド１４は、所定の厚みを有するセラミック製平板からなり、各吐出口２８に対応してヘッド基板１２の上に配置されている。インクガイド１４は、繭形の吐出口２８の長辺方向の長さに応じて幅広に形成されている。上述したように、インクガイド１４は、吐出口２８を通過し、その先端部分１４ａが吐出口基板１６の記録媒体Ｐ側の表面（絶縁層３４の表面）よりも上方に突出している。
【００３４】
インクガイド１４の先端部分１４ａは、対向電極２４側へ向かうに従って次第に細く略三角形（ないしは台形）に成形されている。
また、インクガイド１４を吐出口２８の長辺方向に幅広に形成することで、インク流に直交する方向の幅を短くした場合にも、後述するメニスカスを安定して形成させることができ、かつ、そのようにインク流に直交する方向の幅を短くすることにより、インクの流れに及ぼす影響を少なくすることができる。
【００３５】
なお、インクガイド１４の形状は、インクＱ内の色材粒子を吐出口基板１６の吐出口２８を通って先端部分１４ａに濃縮させることができれば、特に、制限的ではなく、例えば、先端部分１４ａが対向電極に向かうに従って細くなるような形状でなくても良く、適宜変更することができる。例えば、インクガイド１４の中央部分に、図中上下方向に毛細管現象によってインクＱを先端部分１４ａに集めるインク案内溝となる切り欠きが形成されていても良い。
また、インクガイド１４の最先端部に、金属が蒸着されていることが好ましい。インクガイド１４の最先端部に金属を蒸着させることにより、インクガイド１４の先端部分１４ａの誘電率が実質的に大きくなる。これにより、強電界を生じさせ易くなり、インクの吐出性を向上することができる。
【００３６】
図１（Ｂ）に示すように、絶縁基板３２の下面（ヘッド基板１２と対向する面）には、吐出電極１８が形成されている。吐出電極１８は、繭形の吐出口２８の周囲を囲むように、吐出口２８の周縁に近接して、インク流上流側の一辺が切り欠かれたコの字状に配置されている。図１（Ｂ）においては、吐出電極１８はコの字状で形成されているが、インクガイドに臨むように配置される電極であれば、どのような形状でもよく、例えば、リング状の円形電極、楕円形電極、分割円形電極、平行電極、略平行電極等、吐出口２８の形状に応じて種々の形状に変更することができる。
【００３７】
前述のように、インクジェットヘッド１０は、吐出口２８を２次元的に配列したマルチチャンネル構造を有するので、図２（Ａ）に模式的に示すように、吐出電極１８は、各吐出口２８に対応して２次元的に配置されている。
また、吐出電極１８は、インク流路３０に露出し、インク流路３０を流れるインクＱと接触している。これにより、インク液滴の吐出性を大幅に向上させることができる。この点については、後に、吐出の作用と共に詳述する。しかしながら、吐出電極１８は、必ずしもインク流路３０に露出してインクと接触していなくともよい。すなわち、吐出電極１８は、吐出口基板１６の内部（多層の基板で形成した吐出口基板１６の層の間）に形成されていてもよいし、吐出電極１８の露出面が薄い絶縁層などにより被覆されていてもよい。
【００３８】
吐出電極１８は、図１（Ａ）に示すように、制御部３３に接続されている。制御部３３は、インク吐出時および非吐出時に吐出電極１８に印加する電圧を制御することができる。
【００３９】
ガード電極２０は、絶縁基板３２の表面上に形成されており、ガード電極２０の表面は絶縁層３４によって覆われている。図３に、ガード電極２０の平面構造を模式的に示す。図３は、図１（Ａ）のIII−III線矢視図であり、マルチチャンネル構造のインクジェットヘッドの場合のガード電極２０の平面構造を模式的に示している。図３に示すように、ガード電極２０は、金属板などの各吐出電極に共通なシート状の電極であり、２次元的に配列されている各吐出口２８の周囲に形成された吐出電極１８に対応する位置に開口部３６を有する。開口部３６は、矩形状に形成されている。ガード電極２０の開口部３６の長さおよび幅は、吐出口の長さおよび幅よりも大きく形成されている。
ガード電極２０は、隣接する吐出電極１８間における電気力線を遮蔽して、電界干渉を抑制することができ、ガード電極２０には所定電圧が印加される（接地による０Ｖを含む）。
【００４０】
ガード電極２０は、好ましい態様として、図１（Ａ）に示すように、吐出電極１８とは異なる層に形成され、さらに、全面が絶縁層３４によって覆われている。
このようなガード電極２０を有することにより、隣接する吐出電極１８間における電界干渉を好適に防止できると共に、絶縁層３４を有することにより、吐出電極１８とガード電極２０との間で、インクＱの色材粒子が被膜化して放電することも防止できる。
【００４１】
ここで、ガード電極２０は、吐出電極１８から発生する電気力線のうち、対応する吐出口２８（以下、便宜的に「自チャンネル」とする）に作用する電気力線を確保しつつ、他の吐出口２８（同様に「他チャンネル」とする）に設けられた吐出電極１８からの電気力線および自チャンネルの吐出電極１８から他チャンネルへの電気力線を遮蔽するように設ける必要がある。
【００４２】
ガード電極２０が無い場合、インク液滴の吐出時に、吐出電極１８の吐出口側の端部（以下、吐出電極の内縁部という）から生じる電気力線は、吐出電極１８の内側、すなわち、吐出電極１８の内縁部によって囲まれた領域内に収束して自チャンネルに作用し、インク液滴の吐出に必要な電界を生じさせる。一方、吐出電極１８の吐出口側と逆側の端部（以下、吐出電極の外縁部という）から生じる電気力線は、吐出電極１８の外縁部よりも更に外側に発散して他チャンネルに影響を及ぼし、電界干渉を生じる。
【００４３】
以上の点を考慮すれば、ガード電極２０の矩形状の開口部３６の幅および長さは、自チャンネルへの電気力線を遮蔽しないように、基板平面で見た際に、自チャンネルの吐出電極１８よりも大きくするのが好ましい。すなわち、ガード電極２０の吐出口２８側の端部は、自チャンネルの吐出電極１８の内縁部よりも、吐出口２８から離間（後退）しているのが好ましい。
また、他チャンネルへの電気力線を効率的に遮蔽するためには、ガード電極２０の矩形状の開口部３６の長さおよび幅は、基板平面で見た際に、自チャンネルの吐出電極１８の外縁部間の間隔よりも小さくするのが好ましい。すなわち、ガード電極２０の内縁部は、自チャンネルの吐出電極１８の外縁部よりも、吐出口２８に近接（前進）しているのが好ましい。本発明者の検討によれば、この近接量は、５μｍ以上、特に、１０μｍ以上とするのが好ましい。
上記構成を有することにより、吐出口２８からの吐出安定性を十分に確保した上で、隣接するチャンネル間における電界干渉に起因するインク着弾位置のバラツキ等を好適に抑制して、安定して高画質な画像記録を行うことが可能となる。
【００４４】
ガード電極２０の開口部３６を、吐出電極１８の内縁部または外縁部によって形成される形状と略相似形にし、ガード電極２０の内縁部が、自チャンネルの吐出電極１８の内縁部よりも吐出口２８から離間（後退）し、吐出電極の外縁部よりも吐出口２８に近接（前進）するように、ガード電極２０を設けてもよい（すなわち、ガード電極２０の開口部３６を形成してもよい）。
【００４５】
また、以上の例では、ガード電極２０は、シート状電極としているが、本発明はこれには限定されず、各吐出口間において、他チャンネルの電気力線を遮蔽できるように設けられていれば、どのような形状または構造でも良い。例えば、ガード電極２０は、各吐出口の間に網目状に設けられていても良い。また、マトリクス状に配列されている複数の吐出口において、例えば、行方向と列方向で隣接する吐出口の間隔が異なる場合には、電界干渉を生じない程十分離れている吐出口の間にはガード電極を設けずに、近接している吐出口の間にのみガード電極を設けても良い。
このような場合にも、自チャンネルの吐出電極１８に対して、ガード電極２０の内縁部が、吐出電極１８の内縁部よりも吐出口２８から離間し、吐出電極１８の外縁部より吐出口２８に近接するように、ガード電極２０を形成すればよい。
ここでは、ガード電極２０の開口部３６の形状を、吐出口２８の形状と略同様の形状にしたが、これに限定されるものではなく、隣接する吐出電極１８間における電気力線を遮蔽して電界干渉を防止することができれば、任意の形状にすることができる。例えば、円形や楕円形、正方形、長方形、ひし形などの形状にすることができる。
【００４６】
インクジェットヘッド１０のヘッド基板１２は、複数の吐出部に共通する略平板状の基板である。
上述したように、ヘッド基板１２のインク流路３０を形成する面、すなわち図１（Ａ）における上側の面には、吐出口２８のインク流路３０側開口付近にインク誘導堰４０が設けられており、これにより、インク流路３０が、吐出口２８の位置において吐出口２８側へ凸状に盛り上がる形状とされている。すなわち、インク誘導堰４０を設けることによって、吐出口２８の開口部におけるインク流路３０を、ヘッド基板１２からインク吐出方向（図１（Ａ）の例では上方向）へ凸状に形成している。
このようなインク誘導堰４０は、複数の吐出部のそれぞれに対応して形成されている。
【００４７】
図４（Ａ）は、図１のインクジェットヘッド１０における吐出口近傍の構成を示す部分断面斜視図である。同図では、吐出口２８の近傍において凸状に形成されたインク流路３０の構造を明示するために、１つの吐出口２８の近傍について、吐出口基板１６および吐出電極１８をインクガイド１４の略中央の位置でインク流方向に沿って切断して示している。また、図４（Ｂ）は、図４（Ａ）に対応する、インク流方向の吐出口２８中央における構成断面図であり、吐出口２８のインク流方向中央の位置における構成だけを示している（その背後は図示していない）。なお、以下の説明では、便宜的に、図面に対応して、インク流路３０について吐出口基板１６の側を上側、ヘッド基板１２の側を下側とする。
【００４８】
図示例において、インク誘導堰４０は、吐出口基板１６に最も近い頂上部４０ａと、インク流路３０におけるインク流上流側から頂上部４０ａに向かって、ヘッド基板１２の表面（インク流路３０の底面）から頂上部４０ａ（吐出口基板１６側）へ漸次近付くように傾斜する傾斜面４０ｂとを有している。頂上部４０ａは、インク誘導堰４０によるインク流路３０の凸状部分の中心となっている。このようなインク誘導堰４０は、傾斜面４０ｂによってインクを頂上部４０ａに向けて誘導することにより吐出口２８へ向けて誘導する。また、インク誘導堰４０は、頂上部４０ａからその下流側へ向かってヘッド基板１２の表面まで、吐出口基板１６から漸次離れるように傾斜する傾斜面４０ｃを有している。
【００４９】
また、インク誘導堰４０は、インク流に直交する方向には、吐出口２８と略同一の幅を有し、底面に垂直な壁面を有している。さらに、インク誘導堰４０の頂上部４０ａは、インク流方向における吐出口２８の中心よりも上流側に所定量ｓ（図４（Ｂ）参照）だけ変位した位置に配置されている。
ヘッド基板１２と吐出口基板１６との間隔およびインク誘導堰４０の形状等は、インク誘導堰４０が吐出口２８のインク流路３０側の開口を塞ぐことなく、インクＱの流路を確保するように設定される。
【００５０】
このように、インク流路３０の底面の吐出口２８近傍にインク誘導堰４０を形成し、インク流路３０を吐出口２８のインク吐出方向へ凸状に形成することによって、インク流路３０において、吐出口２８の開口部でインク流の主流がインク吐出方向に盛り上がるようなインク流を形成することができる。これにより、インクＱを吐出口２８へ誘導して、インクＱを吐出口２８内部へ好適に流入させることができるので、インク供給性を向上させることができる。また、吐出口２８へのインク供給性を向上できることにより、吐出口２８の目詰まりを防止することができる。
【００５１】
また、インクジェットヘッド１０においては、インク流路３０を吐出口２８の近傍において凸状に形成することにより、凸状部分の上流側から吐出口２８へ向かって、インク流路３０を縮径することもできる。
本実施形態では、吐出口２８の開口と対向する位置にインク誘導堰４０を設けることによって、インク流路３０の有効流路径が、インクＱの供給側（上流側、図４においては左側）から、吐出口２８の開口に向かって次第に小さくなっている。
すなわち、図４（Ｂ）に示すように、インク誘導堰４０（その上流側の傾斜面４０ｂ）を設けることにより、吐出口２８の上流側におけるインク流路３０の径（吐出口基板１６と傾斜面４０ｂとの間隔）Ｗ1が、吐出口２８に近付くにつれて徐々に狭くなり、吐出口２８の直上流における径Ｗ2に縮径する（Ｗ1＞Ｗ2）。言い換えれば、吐出口２８に向かう単位幅当たりのインク流路断面形状が縮径し、該インク流路断面積が漸減する。
このような構造とすることにより、吐出口２８の近傍におけるインクＱの主流を吐出口２８へより一層近づけることができるので、インク供給性の効果を高めることができる。さらに、インクＱの流速を速めることもできるので、インク供給性の効果をより一層高めることができる。
【００５２】
インク誘導堰４０の傾斜面４０ｂのインク流方向長さｋは、隣接する吐出部と干渉しない範囲で、インクＱを吐出口２８へ好適に誘導できるように適宜設定されればよいが、図４（Ｂ）に示すように、インク誘導堰４０の最高部の高さｈに対し、０．５倍以上（ｋ／ｈ≧０．５）とするのが好ましく、１倍以上（ｋ／ｈ≧１）とするのがより好ましい。この範囲とすることにより、インク誘導堰４０の付近、すなわち吐出口２８の付近における乱流の発生を効果的に抑制することができる。特に、頂上部４０ａの下流側での乱流抑制の効果は高い。
【００５３】
また、インク誘導堰４０の下流側の傾斜面４０ｃを設けることにより、上流側の傾斜面４０ｂによって吐出口２８に向かって誘導されたインクＱが滑らかに下流側へ流れるので、インクＱが乱流になるのを抑制してインク流の安定を保つことができ、吐出安定性を保つことができる。
なお、頂上部４０ａの上流側の傾斜面４０ｂおよび下流側の傾斜面４０ｃの形状や傾斜度は、それぞれ異なっていてもよい。
【００５４】
インク誘導堰４０のインク流と直交する方向の幅は、吐出口２８の全幅においてインク供給性を向上させるために、吐出口２８と同等か、若干広いのが好ましい。また、インク誘導堰４０の幅は、図示例のように均一なものには限定されず、幅が漸減するものや漸増するもの等であってもよい。また、その壁面も、垂直面には限定されず、傾斜面等であってもよい。
【００５５】
インク誘導堰４０の傾斜面（インク誘導面）４０ｂ，４０ｃは、インクＱを吐出口２８に誘導するのに好適な形状とすればよく、一定の傾斜角を有する斜面であってもよいし、傾斜角が変化する面や、湾曲面であってもよい。また、その表面は、平滑面には限定されず、インク流方向に、あるいは吐出口２８の中心部に向かって放射状に、１条以上の畝や溝等が形成されていてもよい。
【００５６】
傾斜面４０ｂと傾斜面４０ｃと間は、図示例のように、頂上部４０ａとなる辺で接続されていればよいが、インク誘導堰４０の傾斜面４０ｂによって形成される吐出口２８へ向かうインク流を妨げない限り、傾斜面４０ｂと傾斜面４０ｃとの間に、平面や湾曲面等を有していてもよい。
【００５７】
また、上記のように、上流側の傾斜面４０ｂさらには下流側の傾斜面４０ｃを有するインク誘導堰４０によってインク流路３０を凸状に形成することにより、インク流の乱流発生を効果的に抑制し、より安定したインク供給性能を得ることができるが、本発明はこれには限定されず、インク流路３０を凸状に形成するための凸状部分の形状としては、吐出口２８のインク吐出方向へ凸となる形状を有しているものであれば、各種の形状を用いることができる。
例えば、インク流路３０の凸状部分は、インク誘導堰４０の上流側の傾斜面４０ｂおよび傾斜面４０ｃの一方または両方に代えて、ヘッド基板１２に垂直に設けられたインク流に直交する面を有していてもよいし、階段状の形状を有していてもよい。
【００５８】
このようなインク誘導堰４０またはその他のインク流路３０の凸状部分は、ヘッド基板１２の一部として一体的に形成されてもよいし、ヘッド基板１２とは別部材として作製され、ヘッド基板１２に取り付けられてもよい。すなわち、インク流路３０が、各吐出部に対応する位置において、吐出口２８のインク流方向上流側に頂上部を有するように盛り上がった形状とされていればよい。
【００５９】
図４（Ｂ）に示す例においては、好ましい形態として、インク誘導堰４０の頂上部４０ａ（凸状中心）は、インク流方向における吐出口２８の中心よりも上流側に距離ｓだけずらして（オフセットして）配置されている。この構成により、インク流速を速くした場合等に吐出口２８の中央部へ向かうインク流を形成することができ、吐出口２８へのインク供給性を向上させることができる。
【００６０】
すなわち、図４（Ｂ）に模式的に示すように、インク流速が早い場合やインク物性等の条件によっては、インクＱは、インク誘導堰４０の傾斜面４０ｂによって吐出口基板１６側へ誘導され、頂上部４０ａを過ぎて、慣性力によってさらに吐出口基板１６側へ近接し、頂上部４８ａの位置を過ぎた位置で最高位置に達するようなインク流が形成される。ここで、本実施形態では、インク誘導堰４０の頂上部４０ａが吐出口２８の中心から上流側へずらして配置されているので、吐出口２８のほぼ中央部で最高位置に達するインク流を形成することができる。このようにして、吐出口２８の中央部へ向かうインク流を形成することができ、吐出口２８へのインク供給性を向上させることができる。そして、吐出口２８へのインク供給性を向上できることにより、吐出口２８の目詰まりもより確実に防止することができる。
【００６１】
しかし、インク誘導堰４０の頂上部４０ａは、上記のように上流側に変位した位置に配置するのには限定されず、例えば、図５に示す例のように、インク誘導堰４０を、その頂上部４０ａが、吐出口２８のインク流方向中心に位置するように設けてもよい。
【００６２】
すなわち、頂上部４０ａの変位量ｓ（オフセット量ｓ）は、ｓ＝０とする場合も含めて、傾斜面４０ｂに誘導されたインク流の盛り上がった最高位置が、吐出口２８のほぼ中央に来るように決定すればよく、インク流路３０におけるインクＱの流速（設計流速）や、吐出口２８の空間断面積および形状、インクガイド１４の形状等に応じて、適宜設定することができる。インク流路３０におけるインクＱの流速は、インクＱの供給速度（循環速度）、インク流路３０の断面積および形状、インクＱの物性等によっても影響を受ける。さらに、インク流の最高位置は、傾斜面４０ｂの傾斜角度や表面の形状等によっても影響を受ける。これらの要因を考慮して、頂上部４０ａの変位量ｓを決定すればよい。
【００６３】
なお、インク誘導堰４０を頂上部分に平面や湾曲面を有する形状とした場合には、ヘッド基板１２に最も近い部分を頂上部４０ａとみなせばよく、頂上部分にヘッド基板１２に平行な面を有する場合には、その上流側の端部を頂上部４０ａとみなせばよい。
【００６４】
また、本発明のインクジェットヘッドにおいては、インクガイド１４は必ずしも設けなくてもよいが、インクガイド１４を設けることにより、インク滴Ｒの飛翔方向をより安定させることができる。インクガイド１４を設ける場合には、インクガイド１４とインク誘導堰４０とは接して設けられるのが、インク流の安定性およびインク供給性の点で好ましい。
インクガイド１４は、インク誘導堰４０を有するヘッド基板１２と一体的に形成されてもよいし、インク誘導堰４０とは別部材として形成し、インク誘導堰４０を有するヘッド基板１２に設置してもよいし、インク誘導堰４０がヘッド基板１２と別に作製される場合には、インクガイド１４とインク誘導堰４０とを一体的に形成してヘッド基板１２に設置してもよい。
また、インク誘導堰４０の上部のインクガイド１４との接部は、図示例のように屈曲点を有することなく、滑らかにつながる形状としてもよい。
【００６５】
図示例では、インク誘導堰４０の頂上部４０ａと、インクガイド１４のインク流上流側の面とが一致しているが、頂上部４０ａとインクガイド１４との位置関係は、これには限定されない。例えば、頂上部４０ａが、インクガイド１４よりも上流側に配置され、インク誘導堰４０の下流側の傾斜面４０ｃ上にインクガイド１４が立設されていてもよいし、頂上部４０ａが、インクガイド１４と重なる部分に形成されていてもよい。インクガイド１４は、その先端部分１４ａが吐出口２８の略中央に位置するように配置され、インク誘導堰４０は、インク誘導堰４０によって誘導されるインク流が、吐出口２８の略中央部での最高位置に達するように配置される。
【００６６】
また、図４の例では、ヘッド基板１２の上面が平面とされており、インク誘導堰４０は、ヘッド基板１２の上側の平面上に設けられているが、本発明はこれには限定されず、ヘッド基板１２に溝（インク流路溝とする）を設け、そのインク流路溝の内部にインク誘導堰４０を設けてもよい。すなわち、例えば、インク流方向に沿って、吐出口２８に対応する位置を通過する所定幅、所定深さのインク流路溝を形成し、そのインク流路溝の内部の、吐出口２８に対応する位置に、インク誘導堰４０を設けてもよい。このとき、インク流路溝の幅は、吐出口２８について有効な所定のインク流路範囲（幅）とするのが好ましい。
【００６７】
インク流路溝内にインク誘導堰４０を有する場合にも、吐出口２８について有効なインク流路領域、すなわちインク流路溝に対応する領域において、吐出口２８の位置におけるインク流路を、吐出口２８側へ盛り上がる形状とすることにより、上記の例と同様の効果を得ることができる。また、この形態の場合のインク流路断面積の変化についても同様に、吐出口２８について有効なインク流路領域に対して考えればよい。
【００６８】
このように、インク流路溝を設けることによって、インク流路３０を流れるインクＱの多くを選択的にインク流路溝に流すことができ、そこへインク誘導堰４０を設けることで、インクＱを吐出口２８の内部へ好適に流入させることができ、インクガイド先端部分１４ａへのインクの供給性を向上させることができる。
【００６９】
インクジェットヘッド１０の別の形態として、インクＱの吐出口２８への供給性を更に向上させるために、例えば図６に示すように、吐出口基板１６のインク流路３０側の面にインク誘導溝を設けるのも好ましい。図６（Ａ）は、吐出口基板１６の吐出口２８近傍の構成の他の例を表す構成断面図であり、図６（Ｂ）は、図６（Ａ）の吐出口基板１６をインク流路３０側から見た平面図である。
【００７０】
同図に示すように、吐出口基板１６のインク流路３０側の面には、インク流の上流側から吐出口２８に通じるインク誘導溝４６が形成されている。また、インク誘導溝４６は、インク流の上流側から吐出口２８に向かうに従って、溝の深さが次第に深くなるように所定角度で傾斜されている。
このように、吐出口２８に通じるインク誘導溝４６を設けることによって、インクＱがインク誘導溝４６に沿って吐出口２８内部に誘導されるため、吐出口２８およびインクガイド１４の先端部分１４ａへのインクの供給性を更に向上させることができる。
また、インク誘導溝４６を設けることにより、インクの供給路を確保しつつ、インク誘導堰４２の頂上部４２ａの高さ（ヘッド基板１２からの距離）を高くすることもできる。
【００７１】
インク誘導溝４６の傾斜角度および形状は、特に制限されず、例えば、インク誘導堰４２のインク誘導面の傾斜角度および形状と相似したものとしてもよい。好ましくは、インク誘導堰４２とインク誘導溝４６との間隔が、吐出口２８に近付くにつれて狭まるようにして、吐出口２８に向かう吐出口２８に有効な所定領域におけるインク流路断面形状を縮径するように、言い換えれば、該インク流路断面積を漸減させるように、インク誘導堰４２およびインク誘導溝４６を構成するのがよい。すなわち、図６（Ａ）に示すように、インク誘導堰４２の上流側のインク流路３０の径Ｗ1が、吐出口２８の直上流における径Ｗ2に縮径する（Ｗ1＞Ｗ2）ように構成するのが好ましい。
このように構成することにより、インクＱの主流を吐出口２８へより一層近づけることができ、さらに、インク流路３０を縮径した場合にはインクＱの流速を速めることもできるので、吐出口２８の内部へのインク供給性をより向上させることができる。
【００７２】
また、インク誘導溝４６のインク流方向の長さＫ（図示例では、吐出口２８のインク流に直交する方向の中央の位置における、インク誘導溝４６の上流側の始点から吐出口２８の上流側開口端までの長さＫ）は、隣接する吐出部と干渉しない範囲で、インクＱを吐出口２８へ好適に誘導できるように適宜設定されればよい。
【００７３】
本実施形態のインクジェットヘッド１０においては、図６（Ｂ）にも示されるように、吐出電極１８は、吐出口２８のインク流上流側の一辺が切り欠かれたコの字状に設けられている。したがって、インク誘導溝４６は、吐出電極１８の位置を通過して、吐出電極１８よりも図中上側に、深く形成することができる。
また、吐出電極１８を、絶縁基板３２の内部に配置する場合や、絶縁基板３２のインク流路３０と反対側（図中上側）に配置する場合にも、吐出電極１８を、吐出口２８のインク流上流側の一辺を切り欠いた形状とし、インク誘導溝４６を吐出電極１８よりも上側の層まで形成するのが好ましい。このようにインク誘導溝４６の深さを深くすることによって、吐出口２８およびインクガイド先端部分１４ａへのインクの供給性を更に向上させることができる。
【００７４】
インク誘導溝４６は、インク流方向にわたって一定の深さに形成してもよい。また、インク流の方向にわたって均一な幅であってもよいし、インク流の上流側に向かうに従ってその幅が狭くなっていてもよいし、吐出口２８側に向かうに従ってその幅が狭くなっていてもよい。また、インク誘導溝４６の断面形状は、その深さが深くなるに従って次第に狭くなるような台形状もしくは逆三角形状であるのが好ましい。また、インク誘導溝５２は、１本の溝であってもよいし、吐出口２８に向かう複数の溝で形成されてもよい。
【００７５】
また、上述したように、本発明において、インク誘導堰４０の上流側および下流側の傾斜面の傾斜度や形状は、同様あるいは対称であることには限定されず、上流側と下流側とで異なっていてもよい。
例えば、図７に示すように、インク誘導堰４４のインク流下流側の傾斜面４４ｃの傾斜度を、上流側の傾斜面４４ｂの傾斜度よりも緩やかにするのも好ましい。これにより、傾斜面４４ｂに誘導され頂上部４４ａを越えたインクＱが、傾斜面４４ｃに沿って緩やかに下流側へ案内されるので、インクＱが乱流になるのを抑制してインク流の安定を保つことができ、吐出安定性を保つことができる。
【００７６】
次に、対向電極２４は、図１（Ａ）に示すように、インクジェットヘッド１０のインク液滴Ｒの吐出面と対面するように配置される。
対向電極２４は、インクガイド１４の先端部分１４ａに対向する位置に配置され、接地される電極基板２４ａと、電極基板２４ａの図中下側の表面、すなわちインクジェットヘッド１０側の表面に配置される絶縁シート２４ｂで構成される。
記録媒体Ｐは、対向電極２４の図中下側の表面、すなわち絶縁シート２４ｂの表面に、例えば静電吸着によって保持されており、対向電極２４（絶縁シート２４ｂ）は、記録媒体Ｐのプラテンとして機能する。
【００７７】
少なくとも記録時には、帯電ユニット２６によって、対向電極２４の絶縁シート２４ｂに保持された記録媒体Ｐは、吐出電極１８に印加される駆動電圧と逆極性の所定の負の高電圧に帯電される。
その結果、記録媒体Ｐは負帯電して負の高電圧にバイアスされ、吐出電圧１８に対する実質的な対向電極として作用し、かつ、対向電極２４の絶縁シート２４ｂに静電吸着される。
【００７８】
帯電ユニット２６は、記録媒体Ｐを負の高電圧に帯電させるためのスコロトロン帯電器２６ａと、スコロトロン帯電器２６ａに負の高電圧を供給する高圧電源２６ｂと、バイアス電圧源２６ｃとを有している。スコロトロン帯電器２６ａのコロナワイヤは、高圧電源２６ｂの負側の端子に接続されており、高圧電源２６ｂの正側の端子とスコロトロン帯電器２６ａの金属製シールドケースは接地されている。また、バイアス電圧源２６ｃの負側の端子は、スコロトロン帯電器２６ａのグリット電極に接続され、正側の端子は接地されている。
なお、本発明に用いられる帯電ユニット２６の帯電手段としては、スコロトロン帯電器２６ａに限定されず、コロトロン帯電器、固体チャージャ、放電針などの種々の放電手段を用いることができる。
【００７９】
また、図示例においては、対向電極２４を電極基板２４ａと絶縁シート２４ｂとで構成し、記録媒体Ｐを、帯電ユニット２６によって負の高電圧に帯電させることにより、バイアス電圧を印加して対向電極として作用させ、かつ、絶縁シート２４ｂの表面に静電吸着させているが、本発明はこれに限定されず、対向電極２４を電極基板２４ａのみで構成し、対向電極２４（電極基板２４ａ自体）を負の高電圧の高圧電源に接続して、負の高電圧に常時バイアスしておき、対向電極２４の表面に記録媒体Ｐを静電吸着させるようにしても良い。
また、記録媒体Ｐの対向電極２４への静電吸着と、記録媒体Ｐへの負の高電圧への帯電または対向電極２４への負の高電圧の印加とを別々の負の高電圧源によって行っても良いし、対向電極２４による記録媒体Ｐの保持は、記録媒体Ｐの静電吸着に限られず、他の保持方法や保持手段を用いても良い。
【００８０】
以下、インクジェットヘッド１０におけるインク液滴Ｒの吐出作用を説明することにより、本発明について、より詳細に説明する。
【００８１】
図１（Ａ）に示すように、インクジェットヘッド１０では、図示しないポンプ等を含むインク循環機構により、記録時に吐出電極１８に印加される電圧と同極性、例えば、正（＋）に帯電した色材粒子を含むインクＱが、インク流路３０の内部を矢印方向（図中左から右方向）に循環している。
他方、記録に際して、記録媒体Ｐは、対向電極２４に供給され、帯電ユニット２６によって色材粒子と逆極性すなわち負の高電圧に帯電されて、バイアス電圧を帯電した状態で、対向電極２４に静電吸着される。
この状態で、記録媒体Ｐ（対向電極２４）とインクジェットヘッド１０とを、相対的に移動しつつ、供給された画像データに応じて制御部３３で吐出電極１８にパルス電圧（以下、駆動電圧という）が印加されるように制御する。そして、基本的には、駆動電圧の印加ｏｎ／ｏｆｆによって吐出をｏｎ／ｏｆｆすることにより、画像データに応じてインク液滴Ｒを変調して吐出し、記録媒体Ｐ上に画像を記録する。
【００８２】
ここで、吐出電極１８に駆動電圧を印加していない状態（あるいは、印加電圧が低電圧レベルである状態）、すなわち、バイアス電圧のみが印加されている状態では、インクＱには、バイアス電圧とインクＱの色材粒子（荷電粒子）の荷電とのクーロン引力、色材粒子間のクーロン反発力、キャリア液の粘性、表面張力、誘電分極力等が作用している。そして、これらが連成して、色材粒子やキャリア液が移動し、図１（Ａ）に概念的に示すように、インクＱは、吐出口２８から若干盛り上がったメニスカス状となってバランスが取れている。
また、負に帯電された記録媒体Ｐから発生する電界によって、吐出口２８に色材粒子が凝集している。そして、上述したクーロン引力等によって、その色材粒子は、いわゆる電気泳動で負のバイアス電圧に帯電された記録媒体Ｐに向かって移動する。したがって、吐出口２８に形成されたメニスカスにおいては、インクＱが濃縮された状態となっている。
【００８３】
この状態から、吐出電極１８には駆動電圧が印加される。これにより、バイアス電圧に駆動電圧が重畳され、先の連成に、さらにこの駆動電圧の重畳によって連成された運動が起こる。そして、色材粒子およびキャリア液には、吐出電極１８への駆動電圧の印加によって新たに発生する電界による静電力が作用する。その静電力によって色材粒子およびキャリア液が対向電極２４側、すなわち記録媒体Ｐ側に引っ張られ、吐出口２８に形成されたメニスカスが記録媒体Ｐ側（図１（Ａ）中、上側）に向かって成長し、吐出口２８から記録媒体Ｐの方向へ、略円錐状のインク液柱いわゆるテーラーコーンが形成される。また、先と同様に、色材粒子は、電気泳動および吐出電極からの電界によってメニスカスに移動しており、メニスカスのインクＱは濃縮され、色材粒子を多数有する、ほぼ均一な高濃度状態となっている。
【００８４】
吐出電極１８への駆動電圧の印加開始後、さらに有限な時間が経過すると、色材粒子の移動等により、電界強度の高いメニスカスの先端部分で、主に色材粒子に加わる力（クーロン引力等）とキャリア液の表面張力とのバランスが崩れ、メニスカスが急激に伸びて、曳糸と呼ばれる直径数μｍ〜数十μｍ程度の細長いインク液柱が形成される。
さらに有限な時間が経過すると曳糸が成長し、この曳糸の成長、レイリー／ウエーバー不安定性によって発生する振動、メニスカス内における色材粒子の分布不均一、メニスカスにかかる静電界の分布不均一等の相互作用によって曳糸が分断される。そして、分断された曳糸が、複数のインク液滴Ｒとなって吐出され、記録媒体Ｐに向かって飛翔し、かつ、バイアス電圧にも引っ張られて、記録媒体Ｐに着弾する。
このような曳糸の成長および分断は、さらにはメニスカス（曳糸）への色材粒子の移動は、駆動電圧の印加中は連続して発生する。すなわち、駆動電圧を印加する時間を調整することによって、１画素当たりのインク液滴の吐出量を調整することができる。
そして、駆動電圧の印加を終了（吐出ｏｆｆ）した時点で、バイアス電圧のみが印加された先のメニスカスの状態に戻る。
【００８５】
ここで、図１（Ａ）および（Ｂ）に示すように、インクジェットヘッド１０はインク流方向に細長いスリット状の長穴形状の吐出口を有する。このように、吐出口２８を細長いスリット状の長穴形状、つまりインク流方向の長さとインク流れに直交する方向の長さとのアスペクト比が１以上となる形状とすることで、インクが吐出口内部に流れやすくなり、吐出口２８へのインクの粒子供給性が高くなる。これにより、インクガイド先端１４ａへのインクの粒子供給性を向上させることができる。したがって、画像記録時の吐出周波数が改善され、高速で連続的にドットを描画しても安定して所望のサイズのドットを描画することができる。さらに、吐出口の開口のアスペクト比を１以上にすることで、インクの流れがスムーズになり、吐出口での目詰まりを防止することができる。
【００８６】
吐出周波数としては、画像の出力時間を考慮すると、５ｋＨｚで、好ましくは１０ｋＨｚで、より好ましくは１５ｋＨｚで描画できることが望まれる。
【００８７】
ここで、吐出口は、インク流方向とそれに直交する方向とのアスペクト比は、１．５以上であることがより好ましい。
アスペクト比を１．５以上とすることで、インクガイドへのインク供給性がより向上し、連続した大ドットを、より安定して形成することができ、より高い周波数の描画周波数で描画を行うことができる。
【００８８】
ここで、上記実施形態のように、吐出口の開口形状をインク流方向の長さとインク流れに直交する方向の長さとのアスペクト比が１以上となる形状とすることで、上記効果をより好適に得ることができるが、本発明においてはこれに限定されず、吐出口の開口形状を、開口の長径と短径のアスペクト比を１以上とすることで、インクの流れをスムーズにし、吐出口での目詰まりを防止することができる。
【００８９】
また、吐出電極は、本実施形態のようにインク流方向の上流側が一部欠けている形状であることが好ましい。これにより、インク流方向の上流側から吐出口への色材粒子の流入を妨げる電界が形成されないので、効率よく色材粒子を吐出口へ供給させることができる。また、インク下流側に吐出電極を配置することで、吐出口へ流入した色材粒子を吐出口に留める方向の電界が形成される。以上より、吐出電極をインク流方向の上流側が一部欠けている形状とすることで、吐出口への粒子供給性をより向上させることができる。
【００９０】
また、図１（Ａ）に示したインクジェットヘッド１０において、インク流路３０は、吐出口２８の開口付近において、ヘッド基板１２から吐出口２８のインク吐出方向へ凸状に形成されている。この構成により、吐出口２８の中央部へ向かう（盛り上がる）インク流を形成することができ、吐出口２８へのインク供給性を十分高くすることができる。
さらに、図１（Ａ）のインクジェットヘッド１０は、インク流路３０の凸状部分の中心（インク誘導堰４０の頂上部４０ａ）が、吐出口２８のインク流方向の中心よりも上流側に変位量ｓだけ変位した位置に配置されている。この構成により、高周波数での描画に対応する高いインク循環速度において、十分高いインク供給性を実現でき、高速（例えば、吐出周波数１５ｋＨｚ）で、ドット径の安定した描画を行うことができる。
【００９１】
また、図１（Ａ）に示したインクジェットヘッド１０においては、吐出電極１８はインク流路３０に露出している。すなわち、吐出電極１８は、インク流路３０において、インクＱと接液している。
このように、インク流路３０においてインクＱと接液する吐出電極１８に駆動電圧を印加（吐出ｏｎ）すると、吐出電極１８に供給された電荷の一部がインクＱに注入され、吐出口２８と吐出電極１８との間に位置するインクＱの電導度が高くなる。したがって、本実施形態のインクジェットヘッド１０においては、インクＱは、吐出電極１８に駆動電圧が印加された時（吐出ｏｎ時）に、インク液滴Ｒを吐出し易い状態となる（吐出性が向上する）。
【００９２】
ここで、インクジェットヘッド１０に用いられるインクについて説明する。
インクＱは、色材粒子をキャリア液に分散することにより得られる。キャリア液は、高い電気抵抗率（１０9Ω・ｃｍ以上、好ましくは１０10Ω・ｃｍ以上）を有する誘電性の液体（非水溶媒）であるのが好ましい。キャリア液の電気抵抗が低いと、制御電極に印加される駆動電圧により、キャリア液自身が電荷注入を受けて帯電してしまい、色材粒子の濃縮がおこらない。また、電気抵抗の低いキャリア液は、隣接する制御電極間での電気的導通を生じさせる懸念もあるため不向きである。
【００９３】
キャリア液として用いられる誘電性液体の比誘電率は、５以下が好ましく、より好ましくは４以下、さらに好ましくは３．５以下である。このような比誘電率の範囲とすることによって、キャリア液中の色材粒子に有効に電界が作用し、泳動が起こりやすくなる。
なお、このようなキャリア液の固有電気抵抗の上限値は１０16Ω・ｃｍ程度であるのが望ましく、比誘電率の下限値は１．９程度であるのが望ましい。キャリア液の電気抵抗が上記範囲であるのが望ましい理由は、電気抵抗が低くなると、低電界下でのインクの吐出が悪くなるからであり、比誘電率が上記範囲であるのが望ましい理由は、誘電率が高くなると溶媒の分極により電界が緩和され、これにより形成されたドットの色が薄くなったり、滲みを生じたりするからである。
【００９４】
キャリア液として用いられる誘電性液体としては、好ましくは直鎖状もしくは分岐状の脂肪族炭化水素、脂環式炭化水素、または芳香族炭化水素、および、これらの炭化水素のハロゲン置換体がある。例えば、へキサン、ヘプタン、オクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＣ、アイソパーＥ、アイソパーＧ、アイソパーＨ、アイソパーＬ、アイソパーＭ（アイソパー：エクソン社の商品名）、シェルゾール７０、シェルゾール７１（シェルゾール：シェルオイル社の商品名）、アムスコＯＭＳ、アムスコ４６０溶剤（アムスコ：スピリッツ社の商品名）、シリコーンオイル（例えば、信越シリコーン社製ＫＦ−９６Ｌ）等を単独あるいは混合して用いることができる。
【００９５】
このようなキャリア液に分散される色材粒子は、色材自身を色材粒子としてキャリア液中に分散させてもよいが、好ましくは、定着性を向上させるための分散樹脂粒子を含有させる。分散樹脂粒子を含有させる場合、顔料などは分散樹脂粒子の樹脂材料で被覆して樹脂被覆粒子とする方法などが一般的であり、染料などは分散樹脂粒子を着色して着色粒子とする方法などが一般的である。
【００９６】
色材としては、従来からインクジェットインク組成物、印刷用（油性）インキ組成物、あるいは静電写真用液体現像剤に用いられている顔料および染料であればどれでも使用可能である。
色材として用いる顔料としては、無機顔料、有機顔料を問わず、印刷の技術分野で一般に用いられているものを使用することができる。具体的には、例えば、カーボンブラック、カドミウムレッド、モリブデンレッド、クロムイエロー、カドミウムイエロー、チタンイエロー、酸化クロム、ビリジアン、コバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、金属錯体顔料、等の従来公知の顔料を特に限定なく用いることができる。
色材として用いる染料としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料、等の油溶性染料が好ましく例示される。
【００９７】
さらに、分散樹脂粒子としては、例えば、ロジン類、ロジン変性フェノール樹脂、アルキッド樹脂、（メタ）アクリル系ポリマー、ポリウレタン、ポリエステル、ポリアミド、ポリエチレン、ポリブタジエン、ポリスチレン、ポリ酢酸ビニル、ポリビニールアルコールのアセタール変性物、ポリカーボネート等を挙げられる。
これらのうち、粒子形成の容易さの観点から、重量平均分子量が２，０００〜１０００，０００の範囲内であり、かつ多分散度（重量平均分子量／数平均分子量）が、１．０〜５．０の範囲内であるポリマーが好ましい。さらに、前記定着の容易さの観点から、軟化点、ガラス転移点または、融点のいずれか１つが４０℃〜１２０℃の範囲内にあるポリマーが好ましい。
【００９８】
インクＱにおいて、色材粒子の含有量（色材粒子あるいはさらに分散樹脂粒子の合計含有量）は、インク全体に対して０．５〜３０重量％の範囲で含有されることが好ましく、より好ましくは１．５〜２５重量％、さらに好ましくは３〜２０重量％の範囲で含有されることが望ましい。色材粒子の含有量が少なくなると、印刷画像濃度が不足したり、インクＱと記録媒体Ｐ表面との親和性が得られ難くなって強固な画像が得られなくなったりするなどの問題が生じ易くなり、一方、含有量が多くなると均一な分散液が得られにくくなったり、インクジェットヘッド等でのインクＱの目詰まりが生じやすく、安定なインク吐出が得られにくいなどの問題が生じるからである。
【００９９】
また、キャリア液に分散された色材粒子の平均粒径は、０．１〜５μｍが好ましく、より好ましくは０．２〜１．５μｍであり、更に好ましくは０．４〜１．０μｍである。この粒径はＣＡＰＡ−５００（堀場製作所（株）製商品名）により求めたものである。
【０１００】
色材粒子をキャリア液に分散させた後（必要に応じて、分散剤を使用しても可）、荷電制御剤をキャリア液に添加することにより色材粒子を荷電して、荷電した色材粒子をキャリア液に分散してなるインクＱとする。なお、色材粒子の分散時には、必要に応じて、分散媒を添加してもよい。
荷電制御剤は、一例として、電子写真液体現像剤に用いられている各種のものが利用可能である。また、「最近の電子写真現像システムとトナー材料の開発・実用化」１３９〜１４８頁、電子写真学会編「電子写真技術の基礎と応用」４９７〜５０５頁（コロナ社、１９８８年刊）、原崎勇次「電子写真」１６（Ｎｏ．２）、４４頁（１９７７年）等に記載の各種の荷電制御剤も利用可能である。
【０１０１】
なお、色材粒子は、制御電極に印加される駆動電圧と同極性であれば、正電荷および負電荷のいずれに荷電したものであってもよい。
また、色材粒子の荷電量は、好ましくは５〜２００μＣ／ｇ、より好ましくは１０〜１５０μＣ／ｇ、さらに好ましくは１５〜１００μＣ／ｇの範囲である。
【０１０２】
また、荷電制御剤の添加によって誘電性溶媒の電気抵抗が変化することもあるため、下記に定義する分配率Ｐを、好ましくは５０％以上、より好ましくは６０％以上、さらに好ましくは７０％以上とする。
Ｐ＝１００×（σ１−σ２）／σ１
ここで、σ１は、インクＱの電気伝導度、σ２は、インクＱを遠心分離器にかけた上澄みの電気伝導度である。電気伝導度は、ＬＣＲメーター（安藤電気（株）社製ＡＧ−４３１１）および液体用電極（川口電機製作所（株）社製ＬＰ−０５型）を使用し、印加電圧５Ｖ、周波数１ｋＨｚの条件で測定を行った値である。また遠心分離は、小型高速冷却遠心機（トミー精工（株）社製ＳＲＸ−２０１）を使用し、回転速度１４５００ｒｐｍ、温度２３℃の条件で３０分間行った。
以上のようなインクＱを用いることによって、荷電粒子の泳動が起こりやすくなり、濃縮しやすくなる。
【０１０３】
インクＱの電気伝導度は、１００〜３０００ｐＳ／ｃｍが好ましく、より好ましくは１５０〜２５００ｐＳ／ｃｍ、さらに好ましくは２００〜２０００ｐＳ／ｃｍである。以上のような電気伝導度の範囲とすることによって、制御電極に印加する電圧が極端に高くならず、隣接する記録電極間での電気的導通を生じさせる懸念もない。
また、インクＱの表面張力は、１５〜５０ｍＮ／ｍの範囲が好ましく、より好ましくは１５．５〜４５ｍＮ／ｍ、さらに好ましくは１６〜４０ｍＮ／ｍの範囲である。表面張力をこの範囲とすることによって、制御電極に印加する電圧が極端に高くならず、ヘッド周りにインクが漏れ広がり汚染することがない。
さらに、インクＱの粘度は０．５〜５ｍＰａ・ｓｅｃが好ましく、より好ましくは０．６〜３．０ｍＰａ・ｓｅｃ、さらに好ましくは０．７〜２．０ｍＰａ・ｓｅｃである。
【０１０４】
このようなインクＱは、一例として、色材粒子をキャリア液に分散して粒子化し、かつ、荷電調整剤を分散媒に添加して、色材粒子に荷電を生じさせることで、調製できる。具体的な方法としては、以下の方法が例示される。
（１）色材あるいはさらに分散樹脂粒子をあらかじめ混合（混練）した後、必要に応じて分散剤を用いてキャリア液に分散し、荷電調整剤を加える方法。
（２）色材、あるいはさらに分散樹脂粒子および分散剤を、キャリア液に同時に添加して、分散し、荷電調整剤を加える方法。
（３）色材および荷電調整剤、あるいはさらに分散樹脂粒子および分散剤を、同時にキャリア液に添加して、分散する方法。
【０１０５】
図８（Ａ）に、本発明のインクジェットヘッドを用いる本発明のインクジェット記録装置の一実施例の概念図を示す。
同図に示すインクジェット記録装置６０（以下、プリンタ６０とする）は、記録媒体Ｐに片面４色印刷を行う装置で、記録媒体Ｐの搬送手段、画像記録手段、および溶媒回収手段を有するものであり、これらを筐体６１に収容して構成される。
また、搬送手段は、インクジェットヘッドに対して記録媒体を相対的に移動させるための移動手段であり、フィードローラ対６２、ガイド６４、ローラ６６（６６ａ，６６ｂおよび６６ｃ）、搬送ベルト６８、搬送ベルト位置検知手段６９、静電吸着手段７０、除電手段７２、剥離手段７４、定着・搬送手段７６およびガイド７８を有する。画像記録手段は、ヘッドユニット８０、インク循環系８２、ヘッドドライバ８４、および記録媒体位置検出手段８６を有する。さらに、溶媒回収手段は、排出ファン９０および溶媒回収装置９２を有する。
【０１０６】
記録媒体Ｐの搬送手段において、フィードローラ対６２は、筐体６１の側面に設けられた搬入口６１ａに隣接して設けられた搬送ローラ対である。フィードローラ６２は、図示しないストッカから供給された記録媒体Ｐを、搬送ベルト６８（ローラ６６ａに支持される部分）に送り込む。ガイド６４は、フィードローラ対６２と搬送ベルト６８を支持するローラ６６ａとの間に設けられ、記録媒体Ｐを搬送ベルト６８に案内する。
【０１０７】
なお、フィードローラ対６２の近傍には、記録媒体Ｐに付着した塵埃や紙粉等異物を除去する異物除去手段を設けるのが好ましい。
異物除去手段としては、公知の吸引除去、吹き飛ばし除去、静電除去等の非接触法や、ブラシ、ローラ等による接触法によるものの１以上を組み合わせて使用すればよい。また、フィードローラ対６２を微粘着ローラとし、さらにフィードローラ対６２のクリーナを設けて、フィードローラ対６２による記録媒体Ｐのフィード時に塵埃・紙粉等の異物の除去を行っても良い。
【０１０８】
搬送ベルト６８は、３つのローラ６６に張架されるエンドレスベルトである。また、ローラ６６ａ，６６ｂおよび６６ｃのうち少なくとも１つは、図示されない駆動源と連結されており、搬送ベルト６８を回転させる。
搬送ベルト６８は、ヘッドユニット８０による画像記録時には、記録媒体Ｐの走査搬送手段に加え、記録媒体Ｐを保持するプラテンとして機能し、さらに、画像記録後、定着・搬送手段７６まで搬送する。したがって、搬送ベルト６８は、寸法安定性に優れ、耐久性を有する材料で形成されるのが好ましく、例えば、金属、ポリイミド樹脂、フッ素樹脂、その他の樹脂およびそれらの複合体で形成される。
【０１０９】
図示例においては、記録媒体Ｐは、静電吸着によって搬送ベルト６８上に保持されるので、搬送ベルト６８は、記録媒体Ｐを保持する側（表面）が絶縁性、ローラ６６と接する側（裏面）が導電性を有する。また、図示例においては、ローラ６６ａは導電性ローラとされ、搬送ベルト６８の裏面は、ローラ６６ａを介して接地されている。
すなわち、搬送ベルト６８は、記録媒体Ｐを保持するとき、図１（Ａ）に示す電極基板２４ａと絶縁シート２４ｂからなる対向電極２４として機能するものである。
【０１１０】
このような搬送ベルト６８としては、金属ベルトの表面側にフッ素樹脂コートを行ったもの等、金属ベルトに上記のいずれかの樹脂材料でコーティングしたベルト、接着剤等で樹脂シートと金属ベルトを張り合わせたベルト、上記の樹脂から成るベルトの裏面に金属蒸着したベルト等、各種の方法により作製された、金属層と絶縁物層とを有するベルトを用いればよい。
また、搬送ベルト６８の記録媒体Ｐに接する表面は平滑であるのが好ましく、これにより、記録媒体Ｐの良好な吸着性が得られる。
【０１１１】
搬送ベルト６８は、公知の方法により蛇行が抑制されているのが好ましい。蛇行抑制の方法としては、例えば、ローラ６６ｃをテンションローラとし、搬送ベルト位置検知手段６９の出力、すなわち搬送ベルト６８の幅方向の検知位置に応じて、ローラ６６ｃの軸をローラ６６ａおよびローラ６６ｂの軸に対して傾けることにより、搬送ベルトの幅方向の両端でテンションを変えて蛇行を抑制する方法等が例示される。また、ローラ６６をテーパ形やクラウン形、あるいはその他の形状とすることで、蛇行を抑制してもよい。
【０１１２】
ここで、搬送ベルト位置検知手段６９は、上述のように、搬送ベルトの蛇行などを抑制すると共に、画像記録時の記録媒体Ｐの走査搬送方向の位置を所定位置に規制するために、搬送ベルト６８の幅方向の位置を検知するもので、フォトセンサ等の公知の検知手段が用いられる。
【０１１３】
静電吸着手段７０は、記録媒体Ｐに、ヘッドユニット８０（前述したインクジェットヘッド）に対する所定のバイアス電圧を印加すると共に、静電力により搬送ベルト６８に吸着させて保持するために、記録媒体Ｐを所定の電位に帯電させるものである。
図示例おいては、静電吸着手段７０は、記録媒体Ｐを帯電させるスコロトロン帯電器７０ａと、スコロトロン帯電器７０ａに接続される高圧電源７０ｂと、バイアス電圧源７７ｃとを有する。スコロトロン帯電器７０ａは、高圧電源７０ｂの負側の端子に接続されており、高圧電源７０ｂの正側の端子とスコロトロン帯電器７０ａの金属製シールドケースは接地されている。また、バイアス電圧源７０ｃの負側の端子は、スコロトロン帯電器７０ａのグリット電極に接続され、正側の端子は接地されている。
記録媒体Ｐは、フィードローラ対６２および搬送ベルト６８によって搬送されつつ、負の高圧電源７０ｂに接続されたスコロトロン帯電器７０ａにより、負のバイアス電圧を帯電され、かつ、搬送ベルト６８の絶縁層に静電吸着される。
【０１１４】
なお、記録媒体Ｐを帯電する際の搬送ベルト６８の搬送速度は、安定に帯電できる範囲であれば良く、画像記録時の搬送速度と同じでも異なっていても良い。また、記録媒体Ｐを複数回周回させることによって、同一の記録媒体Ｐに静電吸着手段を複数回作用させ、均一帯電を行っても良い。
なお、図示例では、静電吸着手段７０で記録媒体Ｐの静電吸着および帯電を行っているが、静電吸着手段と帯電手段とを別々に設けてもよい。
【０１１５】
静電吸着手段は、図示例のスコロトロン帯電器７０ａに限定されず、他にも、コロトロン帯電器、固体チャージャ、放電針等、種々の手段や方法が利用できる。また、後に詳述するように、ローラ６６の少なくとも１つを導電性ローラとし、あるいは、記録媒体Ｐへの記録位置において搬送ベルト６８の裏面側（記録媒体Ｐと逆側）に導電性プラテンを配置し、この導電性ローラ、または導電性プラテンを負の高圧電源に接続することにより、静電吸着手段７０を構成してもよく、あるいは搬送ベルト６８を絶縁性ベルトとし、導電性ローラを接地し、導電性プラテンを負の高圧電源に接続する構成としても良い。
【０１１６】
静電吸着手段７０によって帯電された記録媒体Ｐは、搬送ベルト６８によって後述するヘッドユニット８０の位置まで搬送される。
ヘッドユニット８０は、前記本発明のインクジェットヘッドの制御方法を実施するインクジェットヘッドを用いて、画像データに応じてインク液滴を吐出して、記録媒体Ｐに画像を記録する。ここで、本発明のインクジェットヘッドは、記録媒体Ｐの帯電電位をバイアス電圧とし、吐出電極１８に駆動電圧を印加することにより、バイアス電圧に駆動電圧を重畳し、インク液滴Ｒを吐出し、記録媒体Ｐに画像を記録するのは、前述のとおりである。この際、搬送ベルト６８の加熱手段を設け、記録媒体Ｐの温度を高めることで、記録媒体Ｐ上におけるインク液滴Ｒの定着を促進することができ、滲みをより一層抑制して画質の向上を図ることができる。
なお、ヘッドユニット８０等による画像記録に関しては、後に詳述する。
【０１１７】
画像が記録された記録媒体Ｐは、除電手段７２により除電され、剥離手段７４により搬送ベルト６８より剥離されて定着・搬送手段７６へ搬送される。
図示例において、除電手段７２は、コロトロン除電器７２ａと、交流電圧源７２ｂと、高圧電源７２ｃとを備えている、いわゆるＡＣコロトロン除電器である。コロトロン除電器７２ａは、交流電圧源７２ｂを介して高圧電源７２ｃに接続されており、高圧電源７２ｃの他端とコロトロン除電器７２ａの金属製シールドケースは接地されている。なお、除電手段は、これ以外にも、例えばスコロトロン除電器、固体チャージャ、放電針等の種々の手段や方法などが利用でき、また、上述の静電吸着手段７０のように、導電性ローラや導電性プラテンを用いる構成も好適に使用される。
剥離手段７４としては、剥離用ブレード、逆回転ローラ、エアナイフ等公知の技術が利用可能である。
【０１１８】
搬送ベルト６８から剥離された記録媒体Ｐは、定着・搬送手段７６に送られ、インクジェットによって形成された画像が定着される。定着・搬送手段７６としてヒートローラ７６ａおよび搬送ローラ７６ｂからなるローラ対を用い、記録媒体Ｐを挟持搬送しつつ、記録された画像を加熱定着する。
画像が定着された記録媒体Ｐは、ガイド７８に案内されて図示しない排紙ストッカに排紙される。
【０１１９】
加熱定着手段としては、上述のヒートロール定着以外に、赤外線またはハロゲンランプやキセノンフラッシュランプによる照射、あるいはヒータを利用した熱風定着等の一般的な加熱定着を挙げることができる。また、加熱定着・搬送手段７６においては、加熱手段は、加熱のみを行うものとし、搬送手段と加熱定着手段とを別々に設けてもよい。
なお、加熱定着の場合、記録媒体Ｐとして、コート紙やラミネート紙を用いた場合には、急激な温度上昇により紙内部の水分が急激に蒸発し紙表面に凹凸が発生する、ブリスターと呼ばれる現象が生じる可能性がある。これを防止するために、複数の定着器を配置し、記録媒体Ｐが徐々に昇温するように、各定着器の電力供給および記録媒体Ｐまでの距離の一方または両方を変えるのが好ましい。
【０１２０】
なお、プリンタ６０においては、少なくともヘッドユニット８０による画像記録から、定着・搬送手段７６による定着を終了するまでは、記録媒体Ｐの画像記録面には何も接触しないように構成するのが好ましい。
また、定着・搬送手段７６における定着の際の記録媒体Ｐの移動速度には、特に限定はなく、画像形成時の搬送ベルト６８による搬送速度と同じであっても良いし、異なっていても良い。画像形成時の搬送速度と異なる場合には、定着・搬送手段７６の直前に記録媒体Ｐの速度バッファを設けるのも好ましい。
【０１２１】
以下、プリンタ６０における画像記録について詳述する。
前述のように、プリンタ６０の画像記録手段は、本発明のインクジェットヘッドを用いるものであって、インクジェットを吐出するヘッドユニット８０、ヘッドユニット８０にインクＱの供給および回収を行うインク循環系８２、図示されないコンピュータ、ＲＩＰ（Raster Image Processor）等の外部機器からの出力画像信号によりヘッドユニット８０を駆動するヘッドドライバ８４、記録媒体Ｐにおける画像記録位置を決定するために記録媒体Ｐを検出する記録媒体位置検出手段８６を有して構成される。
【０１２２】
図８（Ｂ）は、ヘッドユニット８０と、その周辺の記録媒体Ｐの搬送手段（移動手段）を模式的に示す斜視図である。
ヘッドユニット８０は、フルカラー画像の記録を行うためのシアン（Ｃ）、マゼンタ（Ｍ）、イエロー（Ｙ）、黒（Ｋ）の４色のインク吐出に対応して、４つのインクジェットヘッド８０ａを有し、画像データを供給されたヘッドドライバ８４からの信号に従って、インク循環系８２によって供給されるインクＱをインク液滴Ｒとして吐出して、搬送ベルト６８によって所定速度で搬送されている記録媒体Ｐに画像を記録する。
このインクジェットヘッド８０ａは、上述のインクジェットヘッド１０と同様の構成を有している。
各色のインクジェットヘッド８０ａは、搬送ベルト６８の搬送方向に配列されている。また、各色のインクジェットヘッド８０ａは、搬送ベルト６８の搬送方向、すなわち記録媒体の移動方向が、吐出口の長径方向（長手方向）と平行で且つ吐出口に供給されるインク流と反対方向になるように配置される。
【０１２３】
図示例において、各インクジェットヘッド８０ａは、吐出口２８が記録媒体Ｐの幅方向全域に配列されたラインヘッドであり、好ましくは、図２に示されるように、互いに千鳥状となるように配置された複数のノズル列を有するマルチチャンネルヘッドである。
したがって、図示例においては、搬送ベルト６８に記録媒体Ｐを保持させた状態で、ヘッドユニット８０に対して記録媒体Ｐを搬送によって１回通過させるだけで、すなわち１回の走査搬送を行うのみで、記録媒体Ｐの全面に画像が形成される。したがって、吐出ヘッドをシリアルスキャンする場合に比べて、高速での画像記録（描画）が可能となる。
【０１２４】
なお、本発明において、インクジェットヘッドは、いわゆるシリアルヘッド（シャトルタイプ）にも利用可能であり、したがって、プリンタ６０も、この態様であってもよい。
この際においては、各インクジェットヘッドの吐出口２８の列（単列でもマルチチャンネルでもよい）を搬送ベルト６８の搬送方向と一致させてヘッドユニット８０を構成し、ヘッドユニット８０を記録媒体Ｐの搬送方向と直交する方向に走査する走査手段を設ける。走査手段としては、既に知られた走査手段を用いることができる。
画像記録は、通常のシャトルタイプのインクジェットプリンタと同様に行えばよく、吐出口２８の列の長さに応じて、搬送ベルト６８によって記録媒体Ｐを間欠的に搬送しつつ、この間欠搬送に同期して、停止時にヘッドユニット８０を走査して、記録媒体Ｐの全面に画像を記録する。
このようにして、ヘッドユニット８０によって記録媒体Ｐの全面に形成された画像は、前述のように、記録媒体Ｐが定着・搬送手段７６によって挟持搬送されることにより、定着・搬送手段７６によって定着される。
【０１２５】
図８（Ａ）において、ヘッドドライバ８４は、外部装置から画像データを受け取り、種々の処理を行うシステム制御部（図示せず）から画像データを受け取り、その画像データに基づいてヘッドユニット８０を駆動する。
このシステム制御部は、コンピュータやＲＩＰ、画像スキャナ、磁気ディスク装置、画像データ伝送装置等の外部装置から受け取った画像データに、色分解、適当な画素数や階調数への分割演算等を行って、ヘッドドライバ８４がヘッドユニット８０（インクジェットヘッド）を駆動するための画像データとする部位である。また、システム制御部は、搬送ベルト６８による記録媒体Ｐの搬送タイミングに合わせたヘッドユニット８０によるインクの吐出タイミングの制御を行う。吐出タイミングの制御は、記録媒体位置検出手段８６からの出力や、搬送ベルト６８または搬送ベルト６８の駆動手段へ配置したエンコーダからの出力信号を利用して行われる。
なお、記録媒体位置検出手段８６は、ヘッドユニット８０によるインク液滴の吐出位置に搬送されてくる記録媒体Ｐを検出するためのもので、フォトセンサ等の既に知られた検出手段を用いることができる。
ここで、ヘッドドライバ８４は、ラインヘッド適用時など、制御する吐出部の数（チャンネル数）が多数有る場合には、描画を分割し、公知の抵抗マトリクス型駆動法や抵抗ダイオードマトリクス型駆動法を用いてもよい。これにより、ヘッドドライバ８４の使用ＩＣ数を低減することができ、コストを低下させると共に制御回路サイズを抑制することができる。
【０１２６】
インク循環系８２は、ヘッドユニット８０の各色のインクジェットヘッド８０ａのインク流路３０（図１参照）にインクＱを流すためのもので、４色（Ｃ、Ｍ、Ｙ、Ｋ）の各色のインクタンク、ポンプおよび補給用インクタンク（図示せず）等を有するインク循環装置８２ａと、インク循環装置８２ａのインクタンクからヘッドユニット８０の各色のインクジェットヘッドのインク流路３０に各色のインクＱを供給するインク供給系８２ｂと、ヘッドユニット８０の各色のインクジェットヘッドのインク流路３０からインクをインク循環装置８２ａに回収するインク回収系８２ｃとを有する。
【０１２７】
インク循環系８２は、インク循環装置８２ａによって、インクタンクからインク供給系８０ｂを介してヘッドユニット８０に各色毎にインクＱを供給し、かつ、インク供給系８０ｃを介してヘッドユニット８０から各色毎にインクＱをインクタンクに回収して循環させることができればどのようなものでも良い。
インクタンクは、各色のインクＱを貯留しており、インクＱがポンプで汲み出されてヘッドユニット８０へ送られる。ヘッドユニット８０からインクが吐出されることにより、インク循環系８２で循環しているインクの濃度が低下するので、インク循環系８２では、インク濃度検出器によってインク濃度を検出し、それ応じて補給用インクタンクから適宜インクを補充して、インク濃度を所定の範囲に保つのが望ましい。
【０１２８】
また、インクタンクには、インクの固形成分の沈殿・濃縮を抑制するための攪拌装置や、インクの温度変化を抑制するためのインク温度管理装置が備えられるのが好ましい。この理由は、温度管理をしないと、環境温度の変化等によりインク温度が変化して、インクの物性が変化することによりドット径が変化し、高画質な画像が安定して形成できなくなる可能性があるからである。
攪拌装置としては回転羽、超音波振動子、循環ポンプ等が使用できる。
インクの温度制御装置としてはヘッドユニット８０、インクタンク、インク配管系等に、ヒータやペルチェ素子等の発熱素子または冷却素子を配し、温度センサ、例えばサーモスタットにより制御する方法等、公知の方法が使用できる。温度制御装置をインクタンク内に配置する場合には、温度分布を一定にするように攪拌装置と共に配するのがよい。また、タンク内の濃度分布を一定に保つための攪拌装置は、インクの固形成分の沈澱・濃縮の抑制するための攪拌装置と共用しても良い。
【０１２９】
前述のように、プリンタ６０は、排出ファン９０および溶媒回収装置９２からなる溶媒回収手段を有する。溶媒回収手段は、ヘッドユニット８０から記録媒体Ｐ上に吐出されたインク液滴から蒸発するキャリア液、特にインク液滴によって形成された画像を定着する際に記録媒体Ｐから蒸発するキャリア液を回収する。
排出ファン９０は、プリンタ６０の筐体６１内部の空気を吸い込んで溶媒回収装置９２へ送るためのものである。
溶媒回収装置９２は、溶媒蒸気吸収材を備えており、排出ファン９０によって吸い込まれた溶媒蒸気を含む気体の溶媒成分をこの溶媒蒸気吸収材に吸着し、溶媒が吸着回収された後の気体をプリンタ６０の筐体６１外に排出する。溶媒蒸気吸収材としては、各種の活性炭などが好適に使用される。
【０１３０】
なお、上記では、Ｃ、Ｍ、Ｙ、Ｋの４色のインクを用いてカラー画像を記録する静電式のインクジェット記録装置について説明したが、本発明はこれには制限されず、モノクロ用の記録装置であってもよいし、他の色、例えば淡色や特色のインクを任意の数だけ用いて記録するものであってもよい。その場合は、インク色数に対応する数のヘッドユニット８０およびインク循環系８２が用いられる。
【０１３１】
また、上述したように、本発明のインクジェットヘッドおよびインクジェット記録装置は、上記の静電式インクジェット記録方式に用いることが好ましいが、これに限定されず、ピエゾ式、サーマル式等の各種インクジェット記録方式に用いることができる。
【０１３２】
以上、本発明に係るインクジェットヘッドおよびインクジェット記録装置について詳細に説明したが、本発明は上記種々の実施例に限定されず、本発明の趣旨を逸脱しない範囲において、種々の改良や変更をしてもよいのはもちろんである。
【図面の簡単な説明】
【０１３３】
【図１】（Ａ）は、本発明のインクジェット記録装置に用いられる本発明のインクジェットヘッドの模式的断面図であり、（Ｂ）は、（Ａ）のＩＢ−ＩＢ線矢視図である。
【図２】インクジェットヘッドの吐出口基板に複数の吐出口が二次元的に配列されている様子を模式的に示した図である。
【図３】マルチチャンネル構造のインクジェットヘッドのガード電極の平面構造を模式的に示した図である。
【図４】（Ａ）は、図１のインクジェットヘッドにおける吐出部近傍の構成を示す部分断面斜視図であり、（Ｂ）は、吐出部のインク流方向断面を示す構成断面図である。
【図５】吐出口近傍の構成の他の例を表す構成断面図である。
【図６】（Ａ）は、吐出口近傍の構成の他の例を表す構成断面図であり、（Ｂ）は、（Ａ）の吐出口基板をインク流路側から見た平面図である。
【図７】吐出口近傍の構成の他の例を表す構成断面図である。
【図８】（Ａ）は、本発明のインクジェット記録装置の一例を示す概念図であり、（Ｂ）は、その記録部の構成を説明する斜視図である。
【符号の説明】
【０１３４】
１０  インクジェットヘッド
１２  ヘッド基板
１４  インクガイド
１４ａ  先端部分
１６  吐出口基板
１８  吐出電極
２０  ガード電極
２４  対向電極
２４ａ  電極基板
２４ｂ  絶縁シート
２６  帯電ユニット
２６ａ  スコロトロン帯電器
２６ｂ  高圧電源
２６ｃ  バイアス電圧源
２８  吐出口
３０  インク流路
３２  絶縁基板
３３  制御部
３４  絶縁層
３６  （ガード電極の）開口部
４０、４２、４４、４８  インク誘導堰
４０ａ、４２ａ、４４ａ  （インク誘導堰の）頂上部
４０ｂ、４２ｂ、４４ｂ  （上流側）傾斜面
４０ｃ、４２ｃ、４４ｃ  （下流側）傾斜面
４６  インク誘導溝
６０  インクジェット記録装置（インクジェットプリンタ）
６２  フィードローラ
６４  ガイド
６６  ローラ
６６ａ  ローラ
６８  搬送ベルト
６９  搬送ベルト位置検知手段
７０  静電吸着手段
７０ａ  スコロトロン帯電器
７０ｂ  高圧電源
７２  除電手段
７２ａ  コロトロン除電器
７２ｂ  交流電源
７２ｃ  直流高圧電源
７６  定着・搬送手段
７６ａ  ヒートローラ
７８  ガイド
８０  ヘッドユニット
８０ａ  各インクジェットヘッド
８０ｂ、８０ｃ  インク供給系
８２  インク循環系
８２ａ  インク循環装置
８２ｂ  インク供給系
８２ｃ  インク回収系
８４  ヘッドドライバ
８６  記録媒体位置検出手段
９０  排出ファン
Ｐ  記録媒体
Ｑ  インク
Ｒ  インク液滴
【図１】
2006264016.tif 000003
【図２】
2006264016.tif 000004
【図３】
2006264016.tif 000005
【図４】
2006264016.tif 000006
【図５】
2006264016.tif 000007
【図６】
2006264016.tif 000008
【図７】
2006264016.tif 000009
【図８】
2006264016.tif 000010